(57)【特許請求の範囲】
【請求項１】
センター側装置に伝送路を介して接続されるとともに、初期設定情報を記憶した端末機器が接続される端末用網制御装置であって、初期設定情報が設定されているか否かを判別する判別手段と、初期設定情報が設定されていない場合、前記端末機器に記憶された初期設定情報を取り込む第１取込手段と、該初期設定情報に基づいて前記センター側装置と通信を行う第１通信手段とを備えたことを特徴とする端末用網制御装置。
【請求項２】
センター側装置に伝送路を介して接続されるとともに、日時情報を記憶した端末機器が接続される端末用網制御装置であって、外部から呼び出し信号を受信したときに前記端末機器から日時情報を取り込む第２取込手段と、該日時情報に基づいて前記センター側装置と通信を行う第２通信手段とを備えることを特徴とする端末用網制御装置。
【請求項３】
前記第２通信手段は、前記日時情報と予め設定された設定日時情報とを比較し、日時が設定日時を過ぎている場合に、前記センター側装置と通信を行うことを特徴とする請求項２記載の端末用網制御装置。
【請求項４】
前記端末機器から呼び出し信号を受信したときに前記端末機器に記憶された初期設定情報を取り込む取込手段を備えたことを特徴とする請求項２または３記載の端末用網制御装置。
【発明の詳細な説明】
【０００１】
【発明の属する技術分野】
本発明は、電話回線を利用してセンター側装置と接続され、センター側装置との間で双方向通信であるノーリンギング通信を行い、ＬＰガス、都市ガス、電気および水道等の電文式メータを遠隔自動検針するための端末用網制御装置に関する。
【０００２】
【従来の技術】
図７は、従来の端末用網制御装置が適用されるノーリンギング通信システムの構成を示す図である。このノーリンギング通信システムは、センター側システム（センター側装置）Ｃではホストコンピュータ１とセンター側網制御装置２とが接続され、需要家に設置された端末側システムＴでは端末用網制御装置３に電文式ガスメータ４および電話機５がそれぞれ接続されている。センター側システムＣおよび端末側システムＴは、電話回線網を介して接続されている。この電話回線網は、センター側交換局６とノーリンギングトランク８を備えた端末側交換局７とにより電話回線Ｌを介して接続されて構成されている。
【０００３】
このような構成において、センター側システムＣと端末側システムＴとの間でノーリンギング通信によるデータ伝送が行われる。また、電文式ガスメータ４からの異常（ガス漏れ等）の通知等は、端末用網制御装置３からセンター側システムＣへ異常が発生する度に送られる。このように、端末用網制御装置３からセンター側システムＣへデータが送られることを端末発呼という。例えば、電文式ガスメータ４で検針されたデータは、端末用網制御装置３からセンター側システムＣへ、例えば１、２ヵ月に１度定期的に送られる。このように、定期的にデータが送られることを端末発呼のうちでも特に定期発呼という。
【０００４】
図８は、図７に示す端末用網制御装置３の内部構成を示すブロック図である。この端末用網制御装置３は、極性反転信号を検出するための網制御部１１、モデムで構成される通信回路部１２、マイクロコンピュータを有する制御部１３、ＲＯＭで構成され予め定められたプログラムを記憶するプログラム記憶部１４、ＲＡＭで構成され変数データ等を記憶する一時データ記憶部１５、不揮発性のＥＥＰＲＯＭで構成される初期設定データ記憶部１６、マイクロコンピュータに対しクロックを供給する動作用クロック供給部１７、時刻を刻むための時計用クロック供給部１８、マイクロコンピュータに対して直流電圧を供給する電池１９、電池１９の電圧を検出するための電池電圧検出部２０、電文式ガスメータ４とのインターフェースを司るメータインターフェース部２１、初期設定データを入力設定するための網制御装置用データ設定器２２とのインターフェースを司るデータ設定器インターフェース部２３によって構成されている。なお、図中２４は、電文式ガスメータ４が動作するための設定データを設定するメータ用データ設定器である。
【０００５】
上記初期設定データとは、端末用網制御装置３がセンター側システムＣとの通信を行う上で必要なデータをいい、例えば、図１０に示されるように、端末用網制御装置３固有の識別記号または番号（ＩＤ）、ノーリンギング通信の呼び出し信号の種別、需要先にある電話の信号形態がダイヤルパルス信号かプッシュボタン信号であるかの種別、端末発呼先の電話番号、定期発呼するための日時および現在の日時等である。
【０００６】
図９は、図８で示す従来の端末用網制御装置３の動作内容を示すフローチャートである。簡単に説明すると、設置工事完了後、制御部１３は、初期設定データが設定されているか否かの判別を行い（ステップＲ１）、初期設定データが端末用網制御装置３に設定されておれば、制御部１３は時計をカウント（現在時刻を読み取ること）し（ステップＲ２）、カウントしている日時が定期発呼日時を過ぎているか否かの判別を行う（ステップＲ３）。定期発呼日時は、この場合、初期設定データ記憶部１６に初期設定データとして記憶されている。
【０００７】
そして、カウントしている日時が定期発呼日時を過ぎておれば、定期発呼としてセンター側システムＣと通信を行い、電文式ガスメータ４から取得した検針データが送信される（ステップＲ４）。
【０００８】
また、電池電圧検出部２０により検出された電池１９の電圧が規定値より低くなる等の端末発呼事象が発生した場合（ステップＲ５）、端末発呼としてセンター側システムＣと通信を行う（ステップＲ６）。
【０００９】
このように、この端末用網制御装置３は、初期設定データが設定されるまでは有効な動作を開始することができず、初期設定データが設定されてはじめて、システムとして機能し、センター側システムＣと通信を行うことができる。したがって、工事設置後には、必ず、設置工事者によって網制御装置用データ設定器２２を用いて初期設定データを設定したり、ノーリンギング通信によってセンター側システムＣから初期設定データを設定したりしていた。
【００１０】
【発明が解決しようとする課題】
しかしながら、網制御装置用データ設定器２２での初期設定データの入力は、作業者にとって煩わしい作業であり、入力ミスを起こしたり設定すること自体を忘却したりすることがあった。また、ノーリンギング通信による方法は、センター側にいる作業者と需要先にいる工事設置者との連絡が不十分になる場合があり、必ずしも確実に端末用網制御装置３に初期設定データを設定できるとは限らなかった。そのため、容易にかつ確実に初期設定データを設定できる方法が望まれていた。
【００１１】
また、端末用網制御装置３は需要先ごとに設置されるものであるので、その設置台数は多く、１台分の部品コストを少しでも下げることが要望されていた。
【００１２】
ところで、端末用網制御装置３は、センター側システムＣへ検針データを送信したり、電池１９の容量の残量検査を行ってその検査結果を送信したりするための定期発呼を行うために、常に現在の日時を認識する必要がある。そのため、内部に時計用クロック供給部１８を具備し、時計をカウントして、定期発呼日時になったかをどうかを常時監視している。
【００１３】
しかしながら、上記のような時計機能を具備した場合、常時、時計用クロック供給部１８に内蔵されている発振回路を動作させておいて（スタンバイ状態という。）、１秒毎にマイクロコンピュータを動作させ時計をカウントする必要があるので、消費電力が大きくなる。そのため、電池１９の寿命が短くなるので、容量の大きな電池を搭載する必要がありコスト的に問題があった。
【００１４】
本発明は、上記問題点に鑑み、センター側装置と通信を行うための初期設定情報を容易にかつ確実に設定することができる安価な端末用網制御装置の提供を目的とする。
【００１５】
【課題を解決するための手段】
本発明による課題解決手段は、センター側装置に伝送路を介して接続されるとともに、初期設定情報を記憶した端末機器が接続される端末用網制御装置であって、端末機器に記憶された初期設定情報を取り込む第１取込手段と、該初期設定情報に基づいて前記センター側装置と通信を行う第１通信手段とを備えたことを特徴とするものである。
【００１６】
この構成によれば、端末用網制御装置は端末機器から初期設定情報を取り込み、その初期設定情報に基づいてセンター側装置と通信を行う。ここで、初期設定情報とは、端末用網制御装置がセンター側装置との通信を行う上で必要な情報をいい、端末用網制御装置固有の識別記号または番号（ＩＤ）、定期発呼するための日時およびノーリンギング通信の際の呼び出し信号等である。
【００１７】
端末用網制御装置は、このような初期設定データを端末機器から取り込むので容易にかつ確実に初期設定情報が設定される。そのため、従来のように初期設定情報を設定するためのデータ設定器等を用いて設定する必要がなく、設定のための作業コストおよび部品コストを低減することができる。
【００１８】
また、第１取込手段としては、端末機器から呼び出し信号を受信したときに取り込み動作を行うようにしてもよい。このようにすれば、端末用網制御装置は常に初期設定情報を保持記憶しておく必要がないので、そのための記憶部を省略することができ、端末用網制御装置の部品コストを低減することができる。
【００１９】
本発明による他の課題解決手段は、センター側装置に伝送路を介して接続されるとともに、日時情報を記憶した端末機器が接続される端末用網制御装置であって、外部から呼び出し信号を受信したときに端末機器から日時情報を取り込む第２取込手段と、該日時情報に基づいてセンター側装置と通信を行う第２通信手段とを備えることを特徴とするものである。
【００２０】
この構成によれば、端末用網制御装置は、外部、例えばセンター装置から呼び出し信号を受信した場合に端末機器から日時情報を取り込み、その日時情報に基づいてセンター側装置と通信を行う。このようにすれば、端末用網制御装置は、日時を刻む時計機能を所有する必要がない。そのため、部品コストを低減することができる。
【００２１】
また、第２通信手段としては、日時情報と予め設定された設定日時情報とを比較し、日時が設定日時を過ぎている場合に、センター側装置と通信を行うようにしてもよい。上記の構成によれば、端末機器がもつ情報、例えば電文式ガスメータにおける検針データを定期的にセンター側装置へ送信することができる。
【００２２】
【発明の実施の形態】
以下、本発明の実施の形態を添付図面を参照して詳細に説明する。
【００２３】
＜第１実施形態＞
本発明の第１実施形態を示す端末用網制御装置が適用されたシステム構成は、「従来の技術」の欄で説明した図７に示す構成と基本的に同様である。そのため、以下の説明においては同図を再び参照する。
【００２４】
図１は、第１実施形態に係る端末用網制御装置３の内部構成を示すブロック図である。この端末用網制御装置３は、極性反転信号を検出するための網制御部１１、モデムで構成される通信回路部１２、マイクロコンピュータを有する制御部１３、ＲＯＭで構成され予め定められてプログラムを記憶するプログラム記憶部１４、ＲＡＭで構成され変数データ等を記憶する一時データ記憶部１５、マイクロコンピュータに対しクロックを供給するための動作用クロック供給部１７、時刻を刻むための時計用クロック供給部１８、マイクロコンピュータに対して直流電圧を供給する電池１９、電池１９の電圧を検出するための電池電圧検出部２０、電文式ガスメータ４とのインターフェースを司るメータインターフェース部２１によって構成されている。すなわち、図８の従来の端末用網制御装置３の構成と比較して、初期設定データ記憶部１６およびデータ設定器用インターフェース部２３が省略されている。なお、図中２４は、電文式ガスメータ４が動作するための設定データを設定するメータ用データ設定器である。
【００２５】
制御部１３は、電文式ガスメータ４から初期設定データを取り込む第１取り込み手段としての取り込み機能と、その初期設定データに基づいて電文式ガスメータ４から端末発呼すべき情報をセンター側システムＣに送信する第１通信手段としての通信機能とを有している。
【００２６】
通常、電文式ガスメータ４は、メータ用データ設定器２４によって、例えば、図１１に示す設定データ、すなわち、電文式ガスメータ４固有の識別記号または番号（ＩＤ）、ガスボンベの残量が残り少ない場合に警告を発するときの基準となるレベル値、ガスが連続使用された場合に警告を発するときの基準となる時間、検針情報の通報先電話番号、定期的に検針する日時および現在の日時等が設定される。
【００２７】
この中には、電文式ガスメータ４固有の識別番号、検針情報の通報先の電話番号、定期検針日時または現在の日時等、「従来の技術」の欄で説明した端末用網制御装置３が初期設定データとして設定されるデータと、機能的に重複するデータが含まれている。そのため、端末用網制御装置３および電文式ガスメータ４それぞれに重複するデータを、電文式ガスメータ４においてのみ保持記憶しておき、必要に応じて端末用網制御装置３にその情報を送るようにしてもシステムとしての動作に問題はない。そのため、従来のように初期設定情報を設定するデータ設定器等を用いて設定する必要がなく、設定のための作業コストおよび部品コストを低減することができる。
【００２８】
図２は、端末用網制御装置３の動作内容の一例を示すフローチャートである。このフローチャートにおいては、既に端末用網制御装置３の設置工事は完了し、設置工事者は、メータ用データ設定器２４を用いて、電文式ガスメータ４に図１１に示す設定データを設定していることが前提となる。
【００２９】
端末発呼事象が発生すると、制御部１３は、電文式ガスメータ４に対して初期設定データの読み出しコマンドを送信する（ステップＳ１）。この場合の初期設定データとしては、端末用網制御装置３がセンター側システムＣと通信を行うのに必要なデータ、具体的にはＩＤ、端末発呼先、すなわちセンター側網制御装置２の電話番号、日時データ等である。
【００３０】
読み出しコマンドを送信すると、電文式ガスメータ４からレスポンスとして初期設定データが返送され、そのデータをメータインターフェース部２１を介して受信する（ステップＳ２）。次いで、受信したデータを一時データ記憶部１５に格納する（ステップＳ３）。
【００３１】
そして、端末用網制御装置３は、一時データ記憶部１５に格納されている設定データに基づいて、センター側システムＣと通信を行う（ステップＳ４）。すなわち、センター側網制御装置２にダイヤルし、センター側システムＣとの回線が接続されると、ＩＤ、電文式ガスメータ４から取得したデータ、例えばガス漏れ等の異常通知等をセンター側システムＣへ送信する。そして、送信が完了すれば次の処理に進む。
【００３２】
このように、端末用網制御装置３は、センター側システムＣとの通信を行う上で必要なデータを、電文式ガスメータ４から取得する。そのため、容易にかつ確実に初期設定データを端末用網制御装置３に設定できる。また、従来のように網制御装置用データ設定器２２を用いて工事設置者によって人為的に設定したり、ノーリンギング通信によって設定しなくてもよい。したがって、網制御装置用データ設定器２２が不要となるので、部品コストおよび作業コストを低減することができる。特に、通常、網制御装置用データ設定器２２は、工事設置者１人に対して１台ずつ持つことになるので、部品コストを大幅に低減することができる。
【００３３】
また、網制御装置用データ設定器２２が不要となるので、従来必要であった端末用網制御装置３内のデータ設定器インターフェース部２３も省略することができる。さらに、この第１実施形態によれば、電文式ガスメータ４からの初期設定データを端末発呼が発生した場合にその都度取り込むので、初期設定データを一時記憶データ部１５に記憶しておけばよい。そのため、初期設定データ記憶部１６を省略することができる。したがって、端末用網制御装置３の部品コストの低減化を図ることができる。特に、端末用網制御装置３は需要先ごとに設置されるものであるので、大幅にコストを低減することができる。
【００３４】
なお、上記第１実施形態では、初期設定データ記憶部１６およびデータ設定器インターフェース部２３が端末用網制御装置３内に構成されていてもよい。
【００３５】
＜第２実施形態＞
次に、本発明の第２実施形態を説明する。第２実施形態に係る端末用網制御装置３の特徴は、第１実施形態のように端末発呼の事象が発生した時点で、その都度電文式ガスメータ４から初期設定データを取り込まないで、設置工事後に初期設定データが設定されていなければ初期設定データを設定する点にある。そのため、端末発呼の事象が発生した時点では、既に初期設定データは取り込まれているので、端末発呼発生からセンター側システムＣへのデータの送信所要時間を短縮することができる。なお、第２実施形態の端末用網制御装置３の構成は、第１実施形態の端末用網制御装置３の構成と同様である。
【００３６】
図３は、第２実施形態に係る端末用網制御装置３の動作内容の一例を示すフローチャートである。設置工事が完了すれば、初期設定データが設定されているか否かの判別が行われる（ステップＴ１）。初期設定データが設定されていない場合、制御部１３は、電文式ガスメータ４に対して初期設定データの読み出しコマンドを送信する（ステップＴ２）。この場合の初期設定データとしては、ＩＤ、センター側網制御装置２の電話番号、定期発呼日時等である。
【００３７】
読み出しコマンドを送信すると、電文式ガスメータ４からレスポンスとして初期設定データが返送され、そのデータをメータインターフェース部２１を介して受信する（ステップＴ３）。そして、受信したデータを一時データ記憶部１５に格納する（ステップＴ４）。
【００３８】
一方、ステップＴ１において、既に初期設定データが設定されていると判別された場合は、ステップＴ２〜Ｔ４の処理は行わないでステップＴ５に進む。ステップＴ５では、端末発呼の事象が発生したか否かの判別が行われ、端末発呼事象が発生すれば、一時データ記憶部１５に格納されている初期設定データに基づいて、センター側システムＣと通信を行う（ステップＴ６）。すなわち、センター側網制御装置２にダイヤルし、センター側システムＣとの回線が接続されると、ＩＤ、電文式ガスメータ４から取得したデータ等をセンター側システムＣへ送信する。そして、送信が完了すれば次の処理に進む。
【００３９】
このように、この第２実施形態においては、端末発呼が発生する前に初期設定データが端末用網制御装置３に設定されているので、センター側システムＣにデータを送信する際に、その送信所要時間を短縮することができる。
【００４０】
また、第１実施形態と同様に、初期設定データを電文式ガスメータ４から取り込むので、工事設置者による初期設定データの設定入力が不要になり、網制御装置用データ設定器２２、データ設定器インターフェース部２３および初期設定データ記憶部１６を省略することができる。したがって、第１実施形態同様、作業コストや部品コストを大幅に削減することができる。
【００４１】
＜第３実施形態＞
図４は、本発明の第３実施形態にかかる端末用網制御装置３の構成を示すブロック図である。この端末用網制御装置３の構成上の特徴は、図８の従来の端末用網制御装置３の構成と比べて、時計用クロック供給部１８が設けられていない点にある。すなわち、時計用クロック供給部１８を設ける代わりに、時計用クロック供給部１８から供給されるのと同等の日時データを電文式ガスメータ４から取り込むようにしている。その他の構成は、図８の従来の端末用網制御装置３の構成と同様である。
【００４２】
制御部１３は、外部から呼び出し信号を受信したときに電文式ガスメータ４から日時データを取り込む第２取込手段としての取り込み機能と、その日時データに基づいてセンター側システムＣと通信を行う第２通信手段としての通信機能とを有する。
【００４３】
図５は、第３実施形態に係る端末用網制御装置３の動作内容の一例を示すフローチャートである。設置工事が完了すれば、初期設定データが工事設置者によるデータ設定器からの入力、またはノーリンギング通信によるセンター側システムＣからの入力により初期設定データ記憶部１６に設定される（ステップＰ１）。この場合の初期設定データとしては、ＩＤ、定期発呼日時等である。
【００４４】
次に、網制御部１１によって極性反転信号が検出されたか、またはセンター側システムＣから呼び出し信号が送られたか否かの判別が行われる（ステップＰ２）。網制御部１１によって極性反転信号または呼び出し信号が検出されれば、制御部１３は、電文式ガスメータ４に対して日時データの読み出しコマンドを送信する（ステップＰ３）。
【００４５】
読み出しコマンドを送信すると、電文式ガスメータ４からレスポンスとして現在の時刻である日時データが返送され、端末用網制御装置３はそのデータをメータインターフェース部２１を介して受信する（ステップＰ４）。そして、受信した日時データを一時データ記憶部１５に格納する（ステップＰ５）。
【００４６】
次いで、ステップＰ６において、格納された日時データが定期発呼日時を過ぎているか否かの判別が行われる。日時データが定期発呼日時を過ぎていなければ、ステップＰ２に戻る。一方、日時データが定期発呼日時を過ぎておれば、端末用網制御装置３は、定期発呼として、センター側システムＣと通信を行う（ステップＰ７）。すなわち、センター側網制御装置２にダイヤルし、センター側システムＣとの回線が接続されると、ＩＤ、電文式ガスメータ４から取得した検針データ等をセンター側システムＣへ定期発呼として送信する。そして、送信が完了すれば次の処理に進む。
【００４７】
このように、第３実施形態では、極性反転信号またはセンター側システムＣからの呼び出し信号等による電話回線Ｌの状態変化により、制御部１３は動作状態となり、電文式ガスメータ４の日時データを受信する。そのため、端末用網制御装置３では、従来のように時計機能をもつ必要がなく、すなわち、時計用クロック供給部１８を省略することができ、端末用網制御装置３の部品コストを低減することができる。また、時計機能を持たないのでマイクロコンピュータの消費電力を軽減でき、電池１９の寿命も延びる。そのため、容量の小さい電池を搭載すればよいことになり、端末用網制御装置３の部品コストを低減することができる。
【００４８】
なお、端末用網制御装置３に取り込まれる日時データは、端末用網制御装置３に取り込まれた時点で、リアルタイム的な精度はなくなっている。しかし、電文式ガスメータ４の検針データは緊急性を有するものではないので、日時データに精度がなくてもよい。例えば定期発呼は、１、２ケ月に一度の割合で行うものであるが、１日に１回以上の電話の呼び出しが需要先にあれば、その電話の呼び出しによって、定期発呼を行うかどうかを判別することができる。
【００４９】
なお、本発明は、上記実施形態に限定されるものではなく、本発明の範囲内で上記実施形態に多くの修正および変更を加え得ることは勿論である。例えば、第１実施形態および第３実施形態の構成を組み合わせるようにしてもよい。すなわち、端末発呼時には、初期設定データを電文式ガスメータ４から取り込み、定期発呼時には、日時データを電文式ガスメータ４から取り込むようにしてもよい。このようにすれば、図６に示すように、図８の従来の端末用網制御装置３の構成と比較して、初期設定データ記憶部１６、時計用クロック供給部１８およびデータ設定器インターフェース部２３等を省略することができ、より一層端末用網制御装置３の部品コストの低減化および小型化を図ることができる。
【００５０】
また、例えば、電文式ガスメータに限らず、電文式で通信機能が有り、設定データや日時データを持つメータであれば、水道、温水または電気等を検針するメータ等であってもよい。
【００５１】
【発明の効果】
以上の説明から明らかな通り、本発明によると、初期設定情報を端末機器から取り込むので、容易にかつ確実に初期設定情報を設定することができる。また、例えば、工事設置者がデータ設定器等を用いて初期設定データを設定する必要がないことから、工事設置者は煩わしい設定入力の作業から解放され、たとえ初期設定情報の設定を忘却してもシステムとして支障なく機能する。そのため、作業コストの低減化を図ることができる。
【００５２】
しかも、データ設定器をはじめ端末用網制御装置内のデータ設定器のインターフェース部および初期設定情報を常時記憶するための記憶部を省略することができるので、部品コストの低減化を図ることができる。したがって、非常に安価な端末用網制御装置を提供することができる。
【００５３】
また、日時情報を端末機器から取り込むことにより、時刻計時機能、すなわち時計を具備する必要はないので、部品コストを低減することができる。さらに、例えばマイクロコンピュータが時計を計時する必要がないので、その消費電力を軽減でき、電池の寿命も延ばすことができ、結果的に容量の小さい電池を搭載すればよい。そのため、安価な端末用網制御装置を提供できる。
【００５４】
また、取り込まれた日時情報を設定日時情報と比較し、日時が設定日時を過ぎている場合に、センター側装置と通信を行うので、端末機器がもつ情報、例えば電文式ガスメータにおける検針データを定期的にセンター側装置へ送信することができる。
【図面の簡単な説明】
【図１】本発明の第１実施形態に係る端末用網制御装置の構成を示す図
【図２】第１実施形態に係る端末用網制御装置の制御内容を示すフローチャート
【図３】第２実施形態に係る端末用網制御装置の制御内容を示すフローチャート
【図４】第３実施形態に係る端末用網制御装置の構成を示す図
【図５】第３実施形態に係る端末用網制御装置の制御内容を示すフローチャート
【図６】端末用網制御装置の構成の変形例を示す図
【図７】従来の端末用網制御装置が適用されるノーリンギング通信システムの構成図
【図８】従来の端末用網制御装置の構成を示す図
【図９】従来の端末用網制御装置の制御内容を示すフローチャート
【図１０】端末用網制御装置の初期設定データの一例を示す図
【図１１】電文式ガスメータの設定データの一例を示す図
【符号の説明】
３    端末用網制御装置
４    電文式ガスメータ
１３    制御部
１５    一時データ記憶部
Ｃ    センター側システム
Ｌ    電話回線
【図１】
0003559411.tif 000002
【図２】
0003559411.tif 000003
【図３】
0003559411.tif 000004
【図４】
0003559411.tif 000005
【図５】
0003559411.tif 000006
【図６】
0003559411.tif 000007
【図７】
0003559411.tif 000008
【図８】
0003559411.tif 000009
【図９】
0003559411.tif 000010
【図１０】
0003559411.tif 000011
【図１１】
0003559411.tif 000012